(57)【要約】【課題】最終頁に至るまで頁を切り替えて確実に表示することができる電子ペーパー等の表示装置及び消費電力制御方法等を提供する。【解決手段】予め設定されたタイミングで、残電力量測定手段１０１により測定された電源部１０８の残電力量と、決定手段１０１により決定された回数の頁切り替えに必要な電力量とを比較して、残電力量が頁切り替えに必要な電力量よりも少ないかどうかを判定し、残電力量が頁切り替えに必要な電力量よりも少ないと判定された場合、現在表示されている頁から最終頁までの頁切り替え以外の電力を消費する処理を禁止する【選択図】  図６
2014219946.tif 000002
【特許請求の範囲】
【請求項１】
電源部と、
複数頁からなる文書データにおけるいずれかの頁のデータの表示状態を、前記電源部の電力を消費することなく保持すると共に、前記電源部の電力を消費して表示される頁の切り替えを行う表示手段と、
前記電源部の残電力量を測定する残電力量測定手段と、
前記文書データの今後の頁切り替え回数を決定する決定手段と、
予め設定されたタイミングで、前記残電力量測定手段により測定された前記電源部の残電力量と、前記決定手段により決定された回数の頁切り替えに必要な電力量とを比較して、残電力量が頁切り替えに必要な電力量よりも少ないかどうかを判定する判定手段と、
前記判定手段により、残電力量が頁切り替えに必要な電力量よりも少ないと判定された場合、現在表示されている頁から最終頁までの頁切り替え以外の電力を消費する処理を禁止する禁止手段と、
を備えたことを特徴とする表示装置。
【請求項２】
前記電源部の電力を消費して、ユーザーにより前記表示手段の画面に手書きされたデータを入力し表示させるための手書き入力手段を備え、
前記タイミングは前記手書き入力手段による入力を検知したタイミングであり、
前記決定手段により決定される今後の頁切り替え回数は、現在表示されている頁から最終頁までの頁切り替え回数であり、
前記禁止手段は、前記手書き入力手段による手書きされたデータの入力を禁止する請求項１に記載の表示装置。
【請求項３】
残電力量が頁切り替えに必要な電力量よりも多い場合、残電力量から頁切り替えに必要な電力量を差し引いて、前記手書き入力手段による手書きされたデータの入力が可能な書き込み可能電力量を算出する算出手段を備え、
前記手書き入力手段による手書きされたデータの入力に伴う消費電力量が、前記算出手段により算出された書き込み可能電力量を超えた場合、前記禁止手段は、前記手書き入力手段による手書きされたデータの入力を禁止する請求項２に記載の表示装置。
【請求項４】
頁の切り替えにより前記表示手段に表示される頁が直前の頁に戻されたときは、頁送りの際には該直前の頁から最終頁まで順に切り替える設定がなされており、
前記タイミングは、ユーザーによる前記直前の頁への切り替え指示を検知したタイミングであり、
前記決定手段により決定される今後の頁切り替え回数は、現在表示されている頁から最終頁までの頁の切り替え回数に２を加算した回数であり、
前記禁止手段は、頁を前記直前の頁に戻す処理を禁止する請求項１〜３のいずれかに記載の表示装置。
【請求項５】
表示手段に表示された画像の拡大、縮小、回転の少なくともいずれかの画像処理が可能な画像処理手段を備え、
前記タイミングは、ユーザーによる前記画像処理の指示を検知したタイミングであり、
前記決定手段により決定される今後の頁切り替え回数は、現在表示されている頁から最終頁までの頁の切り替え回数に１を加算した回数であり、
前記禁止手段は、前記指示された画像処理を禁止する請求項１〜３のいずれかに記載の表示装置。
【請求項６】
頁の切り替えにより前記表示手段に表示される頁が前の頁に戻されたときは、頁送りの際には該前の頁から前記表示手段に表示済みの頁のうち最も先の頁に一度の頁送り操作により切り替え、最も先の頁からは最終頁まで順に切り替える設定がなされており、
前記タイミングは、ユーザーによる前記前の頁への切り替え指示を検知したタイミングであり、
前記決定手段により決定される今後の頁切り替え回数は、前記最も先の頁から最終頁までの頁の切り替え回数に２を加算した回数であり、
前記禁止手段は、頁を前記前の頁に戻す処理を禁止する請求項１〜３のいずれかに記載の表示装置。
【請求項７】
ユーザー操作に基づいて頁にタグを付与するタグ付与手段を備え、
最終頁まで頁切り替え完了後に、前記タグ付与手段によりタグを付与された頁に切り替える設定がなされており、
前記タイミングは、ユーザーによる前記タグの付与指示を検知したタイミングであり、
前記決定手段により決定される今後の頁切り替え回数は、現在表示されている頁から最終頁までの頁の切り替え回数に前記タグが付与されている頁の数を加算しさらに１を加算した回数であり、
前記禁止手段は、前記タグ付与手段によるタグの付与を禁止する請求項１〜３のいずれかに記載の表示装置。
【請求項８】
前記電源部の電力を消費して、ユーザーにより前記表示手段の画面に手書きされたデータを入力し表示させるための手書き入力手段を備え、
最終頁まで頁切り替え完了後に、前記手書き入力手段により手書きされたデータの入力がなされた頁に切り替える設定がなされており、
前記タイミングは前記手書き入力手段による入力を検知したタイミングであり、
前記決定手段により決定される今後の頁切り替え回数は、現在表示されている頁から最終頁までの頁の切り替え回数に前記手書きされたデータの入力がなされた頁の数を加算しさらに１を加算した回数であり、
前記禁止手段は、前記手書き入力手段による手書きされたデータの入力を禁止する請求項１〜３のいずれかに記載の表示装置。
【請求項９】
前記前記手書き入力手段による手書きされたデータの入力を禁止するかどうかをユーザーに選択させる選択手段を備え、
前記禁止手段は、前記選択手段により手書きされたデータの入力禁止が選択された場合に、前記前記手書き入力手段による手書きされたデータの入力を禁止する請求項１〜８のいずれかに記載の表示装置。
【請求項１０】
前記禁止手段により、現在表示されている頁から最終頁までの頁切り替え以外の電力を消費する処理を禁止する場合、その旨を通知する通知手段を備えている請求項１〜９のいずれかに記載の表示装置。
【請求項１１】
電源部と、複数頁からなる文書データにおけるいずれかの頁のデータの表示状態を、前記電源手段の電力を消費することなく保持すると共に、前記電源部の電力を消費して表示される頁の切り替えを行う表示手段と、を備えた表示装置で実行される消費電力制御方法であって、
前記電源部の残電力量を測定する残電力量測定ステップと、
前記文書データの今後の頁切り替え回数を決定する決定ステップと、
予め設定されたタイミングで、前記残電力量測定ステップにおいて測定された前記電源部の残電力量と、前記決定ステップにおいて決定された回数の頁切り替えに必要な電力量とを比較して、残電力量が頁切り替えに必要な電力量よりも少ないかどうかを判定する判定ステップと、
前記判定ステップにおいて、残電力量が頁切り替えに必要な電力量よりも少ないと判定された場合、現在表示されている頁から最終頁までの頁切り替え以外の電力を消費する処理を禁止する禁止ステップと、
を備えたことを特徴とする消費電力制御方法。
【請求項１２】
電源部と、複数頁からなる文書データにおけるいずれかの頁のデータの表示状態を、前記電源手段の電力を消費することなく保持すると共に、前記電源部の電力を消費して表示される頁の切り替えを行う表示手段と、を備えた表示装置のコンピュータに、
前記電源部の残電力量を測定する残電力量測定ステップと、
前記文書データの今後の頁切り替え回数を決定する決定ステップと、
予め設定されたタイミングで、前記残電力量測定ステップにおいて測定された前記電源部の残電力量と、前記決定ステップにおいて決定された回数の頁切り替えに必要な電力量とを比較して、残電力量が頁切り替えに必要な電力量よりも少ないかどうかを判定する判定ステップと、
前記判定ステップにおいて、残電力量が頁切り替えに必要な電力量よりも少ないと判定された場合、現在表示されている頁から最終頁までの頁切り替え以外の電力を消費する処理を禁止する禁止ステップと、
を実行させるための消費電力制御プログラム。
【発明の詳細な説明】
【技術分野】
【０００１】
この発明は、電子ペーパー、タブレット端末等の表示装置、該表示装置で実施される消費電力制御方法及び消費電力制御プログラムに関する。
【背景技術】
【０００２】
資料等のデータを表示する表示装置として、内蔵電源の電力を消費することなく表示状態を維持することが可能であるとともに、表示画面にユーザーが手書きでメモを書き込むことが可能な例えば電子ペーパーやタブレット端末等が用いられている。
【０００３】
しかし、このような表示装置では、表示データの書き換えを行うときには電力が消費されるため、表示される頁が切り替わる度に、あるいはメモが書き込まれる度に、電力が消費される。特に、打ち合わせやプレゼンテーションを行っている時に、後で質問するために資料上に質問内容等をメモ書きしておくことがあるが、表示装置の電源部の電力が途中でなくなってしまうと、最終頁まで表示することができなくなってしまい不便である。
【０００４】
また、電力がなくなる前に充電を促すメッセージを表示する表示装置も存在するが、すぐには充電できない場合には、同様の問題が発生する。
【０００５】
このような問題が発生する一因として、電子ペーパー等が低消費電力媒体として認知されていることから、残電力が少ない状態であってもユーザーは残電力を意識することなく大量にメモを書き込んでしまい、消費電力が多くなってしまうことが考えられる。
【０００６】
なお、特許文献１には、画像処理装置と無線で通信し、電池により駆動されるデータ処理装置であって、電池の残量が所定の残量よりも少ない場合に、画像処理装置で処理される可能性のある画像デーを前記画像処理装置に送信するように制御するデータ処理装置が開示されている。
【０００７】
また、特許文献２には、印刷に要する消費電力量と印刷装置のバッテリー残量との比較を行い、印刷の可否を判定する技術が開示されている。
【先行技術文献】
【特許文献】
【０００８】
【特許文献１】特開２０１１−５９７５０号公報
【特許文献２】特開２００７−１６８３８１号公報
【発明の概要】
【発明が解決しようとする課題】
【０００９】
しかしながら、特許文献１や２の技術では、電池の残量が所定の残量よりも少なくなったときに所定の処理が行われたり印刷が中止されるものの、途中で電源部の電力がなくなることを想定した処理ではなく、このため、途中で電力がなくなってしまい処理が中断してしまうおそれがあった。
【００１０】
このため、特許文献１及び２に記載の技術によっては、例えば、手書きによるメモの書き込み等の電力消費を伴う処理によって、途中の頁で電源部の電力がなくなってしまい、最終頁まで文書データを切り替えて表示することができないという問題を解決することはできなかった。
【００１１】
この発明は、このような技術的背景に鑑みてなされたものであって、最終頁に至るまで頁を切り替えて確実に表示することができる表示装置及び消費電力制御方法を提供し、さらには前記消費電力制御方法を表示装置のコンピュータに実行させるための消費電力制御プログラムを提供することを課題とする。
【課題を解決するための手段】
【００１２】
上記課題は、以下の手段によって解決される。
（１）電源部と、複数頁からなる文書データにおけるいずれかの頁のデータの表示状態を、前記電源部の電力を消費することなく保持すると共に、前記電源部の電力を消費して表示される頁の切り替えを行う表示手段と、前記電源部の残電力量を測定する残電力量測定手段と、前記文書データの今後の頁切り替え回数を決定する決定手段と、予め設定されたタイミングで、前記残電力量測定手段により測定された前記電源部の残電力量と、前記決定手段により決定された回数の頁切り替えに必要な電力量とを比較して、残電力量が頁切り替えに必要な電力量よりも少ないかどうかを判定する判定手段と、前記判定手段により、残電力量が頁切り替えに必要な電力量よりも少ないと判定された場合、現在表示されている頁から最終頁までの頁切り替え以外の電力を消費する処理を禁止する禁止手段と、を備えたことを特徴とする表示装置。
（２）前記電源部の電力を消費して、ユーザーにより前記表示手段の画面に手書きされたデータを入力し表示させるための手書き入力手段を備え、前記タイミングは前記手書き入力手段による入力を検知したタイミングであり、前記決定手段により決定される今後の頁切り替え回数は、現在表示されている頁から最終頁までの頁切り替え回数であり、前記禁止手段は、前記手書き入力手段による手書きされたデータの入力を禁止する前項１に記載の表示装置。
（３）残電力量が頁切り替えに必要な電力量よりも多い場合、残電力量から頁切り替えに必要な電力量を差し引いて、前記手書き入力手段による手書きされたデータの入力が可能な書き込み可能電力量を算出する算出手段を備え、前記手書き入力手段による手書きされたデータの入力に伴う消費電力量が、前記算出手段により算出された書き込み可能電力量を超えた場合、前記禁止手段は、前記手書き入力手段による手書きされたデータの入力を禁止する前項２に記載の表示装置。
（４）頁の切り替えにより前記表示手段に表示される頁が直前の頁に戻されたときは、頁送りの際には該直前の頁から最終頁まで順に切り替える設定がなされており、前記タイミングは、ユーザーによる前記直前の頁への切り替え指示を検知したタイミングであり、前記決定手段により決定される今後の頁切り替え回数は、現在表示されている頁から最終頁までの頁の切り替え回数に２を加算した回数であり、前記禁止手段は、頁を前記直前の頁に戻す処理を禁止する前項１〜３のいずれかに記載の表示装置。
（５）表示手段に表示された画像の拡大、縮小、回転の少なくともいずれかの画像処理が可能な画像処理手段を備え、前記タイミングは、ユーザーによる前記画像処理の指示を検知したタイミングであり、前記決定手段により決定される今後の頁切り替え回数は、現在表示されている頁から最終頁までの頁の切り替え回数に１を加算した回数であり、前記禁止手段は、前記指示された画像処理を禁止する前項１〜３のいずれかに記載の表示装置。
（６）頁の切り替えにより前記表示手段に表示される頁が前の頁に戻されたときは、頁送りの際には該前の頁から前記表示手段に表示済みの頁のうち最も先の頁に一度の頁送り操作により切り替え、最も先の頁からは最終頁まで順に切り替える設定がなされており、前記タイミングは、ユーザーによる前記前の頁への切り替え指示を検知したタイミングであり、前記決定手段により決定される今後の頁切り替え回数は、前記最も先の頁から最終頁までの頁の切り替え回数に２を加算した回数であり、前記禁止手段は、頁を前記前の頁に戻す処理を禁止する前項１〜３のいずれかに記載の表示装置。
（７）ユーザー操作に基づいて頁にタグを付与するタグ付与手段を備え、最終頁まで頁切り替え完了後に、前記タグ付与手段によりタグを付与された頁に切り替える設定がなされており、前記タイミングは、ユーザーによる前記タグの付与指示を検知したタイミングであり、前記決定手段により決定される今後の頁切り替え回数は、現在表示されている頁から最終頁までの頁の切り替え回数に前記タグが付与されている頁の数を加算しさらに１を加算した回数であり、前記禁止手段は、前記タグ付与手段によるタグの付与を禁止する前項１〜３のいずれかに記載の表示装置。
（８）前記電源部の電力を消費して、ユーザーにより前記表示手段の画面に手書きされたデータを入力し表示させるための手書き入力手段を備え、最終頁まで頁切り替え完了後に、前記手書き入力手段により手書きされたデータの入力がなされた頁に切り替える設定がなされており、前記タイミングは前記手書き入力手段による入力を検知したタイミングであり、前記決定手段により決定される今後の頁切り替え回数は、現在表示されている頁から最終頁までの頁の切り替え回数に前記手書きされたデータの入力がなされた頁の数を加算しさらに１を加算した回数であり、前記禁止手段は、前記手書き入力手段による手書きされたデータの入力を禁止する前項１〜３のいずれかに記載の表示装置。
（９）前記前記手書き入力手段による手書きされたデータの入力を禁止するかどうかをユーザーに選択させる選択手段を備え、前記禁止手段は、前記選択手段により手書きされたデータの入力禁止が選択された場合に、前記前記手書き入力手段による手書きされたデータの入力を禁止する前項１〜８のいずれかに記載の表示装置。
（１０）前記禁止手段により、現在表示されている頁から最終頁までの頁切り替え以外の電力を消費する処理を禁止する場合、その旨を通知する通知手段を備えている前項１〜９のいずれかに記載の表示装置。
（１１）電源部と、複数頁からなる文書データにおけるいずれかの頁のデータの表示状態を、前記電源手段の電力を消費することなく保持すると共に、前記電源部の電力を消費して表示される頁の切り替えを行う表示手段と、を備えた表示装置で実行される消費電力制御方法であって、前記電源部の残電力量を測定する残電力量測定ステップと、前記文書データの今後の頁切り替え回数を決定する決定ステップと、予め設定されたタイミングで、前記残電力量測定ステップにおいて測定された前記電源部の残電力量と、前記決定ステップにおいて決定された回数の頁切り替えに必要な電力量とを比較して、残電力量が頁切り替えに必要な電力量よりも少ないかどうかを判定する判定ステップと、前記判定ステップにおいて、残電力量が頁切り替えに必要な電力量よりも少ないと判定された場合、現在表示されている頁から最終頁までの頁切り替え以外の電力を消費する処理を禁止する禁止ステップと、を備えたことを特徴とする消費電力制御方法。
（１２）電源部と、複数頁からなる文書データにおけるいずれかの頁のデータの表示状態を、前記電源手段の電力を消費することなく保持すると共に、前記電源部の電力を消費して表示される頁の切り替えを行う表示手段と、を備えた表示装置のコンピュータに、前記電源部の残電力量を測定する残電力量測定ステップと、前記文書データの今後の頁切り替え回数を決定する決定ステップと、予め設定されたタイミングで、前記残電力量測定ステップにおいて測定された前記電源部の残電力量と、前記決定ステップにおいて決定された回数の頁切り替えに必要な電力量とを比較して、残電力量が頁切り替えに必要な電力量よりも少ないかどうかを判定する判定ステップと、前記判定ステップにおいて、残電力量が頁切り替えに必要な電力量よりも少ないと判定された場合、現在表示されている頁から最終頁までの頁切り替え以外の電力を消費する処理を禁止する禁止ステップと、を実行させるための消費電力制御プログラム。
【発明の効果】
【００１３】
前項（１）に記載の発明によれば、予め設定されたタイミングで、電源部の残電力量と決定された回数の頁切り替えに必要な電力量とを比較して、残電力量が頁切り替えに必要な電力量よりも少ないかどうかを判定し、少ないと判定された場合、現在表示されている頁から最終頁までの頁切り替え以外の電力を消費する処理を禁止するから、現在表示されている頁から最終頁までの頁切り替えに必要な電力が消費されるのを抑制することができ、最終頁までを確実に表示させることができる。
【００１４】
前項（２）に記載の発明によれば、手書き入力手段による手書きされたデータの入力を行うと最終頁まで表示する電力量が不足する場合は、手書きされたデータの入力を禁止することで、最終頁まで表示させることができる。
【００１５】
前項（３）に記載の発明によれば、最終頁まで表示させるのに必要な電力量を確保しながら、手書き入力手段による手書きされたデータの入力を最大限行うことが可能となる。
【００１６】
前項（４）に記載の発明によれば、頁の切り替えにより表示手段に表示される頁が直前の頁に戻されたときは、頁送りの際には該直前の頁から最終頁まで順に切り替える設定がなされている場合において、この設定を実行すると最終頁まで表示する電力量が不足する場合は、頁を前記直前の頁に戻す処理を禁止することで電力消費を抑制することができ、最終頁までを確実に表示させることができる。
【００１７】
前項（５）に記載の発明によれば、表示された画像の拡大、縮小、回転の少なくともいずれかの画像処理を実行すると電力量が不足する場合には、前記画像処理を禁止することで電力消費を抑制することができ、最終頁までを確実に表示させることができる。
【００１８】
前項（６）に記載の発明によれば、頁の切り替えにより表示手段に表示される頁が前の頁に戻されたときは、頁送りの際には該前の頁から表示手段に表示済みの頁のうち最も先の頁に一度の頁送り操作により切り替え、最も先の頁からは最終頁まで順に切り替える設定がなされている場合において、この設定を実行すると最終頁まで表示する電力量が不足する場合は、頁を前記前の頁に戻す処理を禁止することで電力消費を抑制することができ、最終頁までを確実に表示させることができる。
【００１９】
前項（７）に記載の発明によれば、最終頁まで頁切り替え完了後に、前記タグ付与手段によりタグを付与された頁に切り替える設定がなされている場合において、タグを付与すると最終頁までとさらにタグを付与された頁を表示する電力量が不足する場合は、タグの付与を禁止することで電力消費を抑制することができ、最終頁までを確実に表示させることができる。
【００２０】
前項（８）に記載の発明によれば、最終頁まで頁切り替え完了後に、前記手書き入力手段により手書きされたデータの入力がなされた頁に切り替える設定がなされている場合において、手書きされたデータの入力を行うと最終頁までとさらに手書きされたデータの入力がなされた頁を表示する電力量が不足する場合は、手書きされたデータの入力を禁止することで電力消費を抑制することができ、最終頁までを確実に表示させることができる。
【００２１】
前項（９）に記載の発明によれば、手書きされたデータの入力を禁止するかどうかについてのユーザーの意思を尊重することができる。
【００２２】
前項（１０）に記載の発明によれば、ユーザーは、現在表示されている頁から最終頁までの頁切り替え以外の電力を消費する処理が禁止されることを、認識することができる。
【００２３】
前項（１１）に記載の発明によれば、表示装置において、現在表示されている頁から最終頁までの頁切り替えに必要な電力が消費されるのを抑制することができ、最終頁までを確実に表示させることができる。
【００２４】
前項（１２）に記載の発明によれば、現在表示されている頁から最終頁までの頁切り替えに必要な電力が消費されるのを抑制して、最終頁までを確実に表示させる処理を、表示装置のコンピュータに実行させることができる。
【図面の簡単な説明】
【００２５】
【図１】この発明の一実施形態に係る表示装置としての電子ペーパーの正面図である。
【図２】電子ペーパーの電気的な構成を示すブロック図である。
【図３】ユーザーが打ち合わせ中にＡ頁〜Ｆ頁までの６頁からなる文書データの各頁を表示部１１に表示させながら順に切り替えていく様子を示す図である。
【図４】頁の切り替えに必要な電力量と電源部の残電力量との関係を説明するための図である。
【図５】手書き入力がなされた場合の頁の切り替えに必要な電力量と電源部の残電力量との関係を説明するための図である。
【図６】図４及び図５に示した実施形態における電子ぺーパーの動作を示すフローチャートである。
【図７】図６のフローチャートにおけるステップＳ０３の書き込み可能量Ｗの取得処理の詳細を示すフローチャートである。
【図８】手書きによる書き込みを禁止するか否かをユーザーに選択させるための画面を示す図である。
【図９】この発明の他の実施形態における頁切り替えの順序を説明するための図である。
【図１０】図９に示した実施形態における電子ぺーパーの動作を示すフローチャートである。
【図１１】頁戻りを禁止するか否かをユーザーに選択させるための画面を示す図である。
【図１２】この発明のさらに他の実施形態における頁切り替えの順序を説明するための図である。
【図１３】図１２に示した実施形態における電子ぺーバーの動作を示すフローチャートである。
【図１４】図１２及び図１３で説明した頁切り替えの設定がなされている場合に、表示部に表示された頁について、手書き入力装置によりメモ書きする場合の書き込み可能量を取得する処理を示すフローチャートである。
【図１５】この発明のさらに他の実施形態を示すもので、電子ペーパーの動作を示すフローチャートである。
【図１６】この発明のさらに他の実施形態における頁切り替えの順序を説明するための図である。
【図１７】図１６に示した実施形態における電子ぺーバーの動作を示すフローチャートである。
【図１８】最終頁後にタグが付与された頁に切り替えられる設定がなされている場合に、表示部に表示された頁について、手書き入力装置によりメモ書きする場合の書き込み可能量を取得する処理を示すフローチャートである。
【図１９】この発明のさらに他の実施形態における頁切り替えの順序を説明するための図である。
【図２０】図１９に示した実施形態における電子ぺーバーの動作を示すフローチャートである。
【図２１】最終頁後に手書き入力がなされた頁に切り替えられる設定がなされている場合に、表示部に表示された頁について、手書き入力装置によりメモ書きする場合の書き込み可能量を取得する処理を示すフローチャートである。
【発明を実施するための形態】
【００２６】
以下、この発明の実施形態を図面に基づいて説明する。
【００２７】
図１は、この発明の一実施形態に係る表示装置としての電子ペーパー１の正面図である。なお、表示装置は電子ペーパーに限定されることはなく、タブレット端末等であっても良い。
【００２８】
この電子ペーパー１は表示部１１を備えると共に、下端部には頁戻しボタン１２と、実行／更新ボタン１３と、頁送りボタン１４と、画像拡大ボタン１５と、画像縮小ボタン１６と、画像回転ボタン１７が配設されている。
【００２９】
表示部１１は、後述する電源部の電力を消費することなく文書データの表示状態を保持する一方、表示頁を切り替える際には電力を消費する公知の構成のものである。「電力を消費することなく」とは、電力を全く消費しない場合はもとより、電力消費がわずかである場合も許容する概念である。
【００３０】
この表示部１１の表面にはタッチパネル（図示せず）が設けられており、ユーザーはタッチパネルを手書きペン等の手書き入力装置２でなぞって文字や図形等のメモを文書データに手書き入力することができる構成となされている。また、手書き入力装置２により手書き入力したメモ等の表示は、頁切り替えと同様に電力消費を伴って行われる。
【００３１】
頁戻しボタン１２は、表示されている頁を１つ前の頁に切り替えるためのボタンであり、実行／更新ボタン１３は、例えば複数の文書データの中からいずれかの文書データの選択を実行したり、消費電力量の抑制制御を行う際に表示部１１に表示される前記制御の許否の問い合わせに対するユーザーの意思を決定するとき等に用いられ、頁送りボタン１４は、表示されている頁を次の頁に切り替えるためのボタンである。
【００３２】
画像拡大ボタン１５は表示部１１に表示された画像を拡大するときに操作されるボタンであり、画像縮小ボタン１６は画像を縮小するときに操作されるボタンであり、画像回転ボタン１７は画像を回転するときに操作されるボタンである。
【００３３】
図２は、電子ペーパー１の電気的な構成を示すブロック図である。
【００３４】
電子ペーパー１は、上述した表示部１１の他、ＣＰＵ１０１、ＲＡＭ１０２、ＲＯＭ１０３、画像処理部１０４、外部記憶装置１０５、操作部１０６、電源管理部１０７、電源部１０８、ネットワークインターフェース（図面ではネットワークＩＦと記されている）１０９を備えている。
【００３５】
ＣＰＵ１０１は、ＲＯＭ１０３や外部記憶装置１０５などに保存されているプログラムをＲＡＭ１０３にロードして実行することにより、電子ペーパー１の全体を統括的に制御する。たとえば、ユーザー操作に基づいて、外部記憶装置１０５に記憶された複数の文書データのうちのいずれかの文書データの任意の頁を表示部１１に表示させたり、表示頁を切り替えたり、画面に対して手書き入力装置２による手書きが行われたときは、それを取り込んで入力し表示させる等の制御を行う。
【００３６】
さらにこの実施形態では、表示部１１に表示される文書データの各頁について、手書き入力装置２により手書きされたデータが入力され表示されたときは、手書き量に応じた消費済み電力量を測定したり、電源部１０８の残電力量を測定する。更には、文書データの今後の頁切り替え回数を決定するとともに、測定した電源部１０８の残電力量と前記決定された回数の頁切り替えに必要な電力量とを比較して、残電力量が頁切り替えに必要な電力量よりも少ないかどうかを判定し、残電力量が頁切り替えに必要な電力量よりも少ないと判定された場合、現在表示されている頁から最終頁までの頁切り替え以外の電力を消費する処理を禁止する等の制御を行うが、詳細は後述する。
【００３７】
ＲＡＭ１０２は、ＣＰＵ１０１が動作用プログラムに従って動作する際の作業領域を提供する記憶媒体であり、ＲＯＭ１０３は、ＣＰＵ１０１が実行する動作プログラムやその他のデータを保存する記憶媒体である。
【００３８】
画像処理部１０４は、外部記憶装置１０５に記憶される画像データに、変倍、回転等の画像処理を実行する。
【００３９】
外部記憶装置１０５は例えばＳＤカード等の可搬性記録媒体等からなり、表示部１１に表示される１頁または複数頁からなる複数の文書データ等を保存する。
【００４０】
操作部１０６は前述したタッチパネルからなり、タッチパネルがタッチされた時のタッチ位置の座標の読み取り等を行う。
【００４１】
電源管理部１０７は電源部１０８の状態を管理するものであり、この実施形態ではＣＰＵ１０１の機能の一部として構成されている。なお、電源部１０８は電子ペーパー１の各部に電力を供給するものであり、充電可能に構成されている。また、表示部１１に表示される頁の切り替えや手書き入力装置２による画面へのメモ書きがあった場合等には、電源部１０８の電力が消費され、電源管理部１０７は消費された電力量を使用可能な電力量から差し引く等の処理を行う。
【００４２】
ネットワークインターフェース１０９は、電子ペーパー１と他の外部機器との間で、ネットワークを介してデータの送受信を行う通信手段として機能する。
【００４３】
次に、電子ペーパー１において実行される消費電力量の制御処理について説明する。
【００４４】
図３は、ユーザーが打ち合わせ中にＡ頁〜Ｆ頁までの６頁からなる文書データの各頁を表示部１１に表示させながら順に切り替えていく様子を示す図である。
【００４５】
図３では、Ｂ頁には手書き入力装置２により手書きメモが入力されている。今、表示部１１の表示をＡ頁から順にＣ頁まで表示し、Ｃ頁からＤ頁に切り替えたものとし、Ｅ頁及びＦ頁は未表示とする。
【００４６】
この状態では、頁切り替えは図４に示すように、Ｄ頁からＥ頁への切り替え（図４の丸数字１）と、Ｅ頁からＦ頁への切り替え（図４の丸数字２）の２回であるから、最終頁のＦ頁まで表示するには２回分の切り替え電力量が必要となる。仮に、図４の下図のグラフに示すように、電源部１０８の残電力量が、２回分の頁切り替えに必要な電力量を上回っていると、電源部１０８の電力量に余裕があり、現在表示中のＤ頁への手書き入力装置２による手書き入力が許可される。
【００４７】
一方、図５に示すように、Ｂ頁のみならずＣ頁にも手書き入力装置２による手書き入力が行われた場合、電源部１０８の電力量が手書き入力によって消費されているため、電源部１０８の残電力量が減少している。このとき、図５の下図のように電源部１０８の残電力量がＥ頁とＦ頁への２回分の頁切り替えに必要な電力量を下回ると、現在表示中のＤ頁への手書き入力装置２による手書き入力が禁止され、さらにＥ頁及びＦ頁への手書き入力も禁止される。
【００４８】
図６は、図４及び図５に示した実施形態における電子ぺーパー１の動作を示すフローチャートである。なお、図６以下のフローチャートは、電子ペーパー１のＣＰＵ１０１がＲＯＭ１０３等の記録媒体に格納された動作プログラムに従って動作することにより実行される。
【００４９】
ステップＳ０１で、ＣＰＵ１０１は頁切り替えを検知すると、ステツプＳ０２で、手書き入力装置２による手書き入力（以下、単に「書き込み」ともいう）の禁止モードが設定されているかどうかを判断する。書き込み禁止モードであれば（ステップＳ０２でＹＥＳ）、ステップＳ０９で書き込み禁止モードの設定をそのまま維持する。
【００５０】
書き込み禁止モードでなければ（ステップＳ０２でＮＯ）、ステップＳ０３で、書き込み可能な電力量（書き込み可能量）Ｗを取得する。この処理については後述する。
【００５１】
次いで、ステップＳ０４で、現在表示している頁における既に書き込みによって消費した電力量（書き込み量）の総和Ｗｔを取得する。
【００５２】
次に、ステップＳ０５で書き込みを検知すると、ステップＳ０６で、手書き入力装置２が画面から離れるまでの書き込み量Ｗｗを取得し、ステップＳ０７で、書き込み量の総和Ｗｔに書き込み量Ｗｗを加算して、Ｗｔを更新する。
【００５３】
次いで、ステップＳ０８で、ステップＳ０７で求めたＷｔが書き込み可能量Ｗを超えていないかどうか、つまりＷ＞Ｗｔかどうかを判定する。Ｗ＞Ｗｔであれば（ステップＳ０８でＹＥＳ）、ステップＳ０５に戻り、さらなる書き込みを許容する。Ｗ＞Ｗｔでなければ（ステップＳ０８でＮＯ）、残りの頁切り替えに必要な電力量を確保するため、ステップＳ０９に進み、書き込み禁止モードを設定する。
【００５４】
なお、切り替えられて現在表示部１１に表示されている頁に、手書き入力がなされていない場合は、ステップＳ０４の書き込み量の総和Ｗｔはゼロであり、それでもステップＳ０８で残りの頁切り替えに必要な電力量に余裕がないと判定されると、直ちに書き込み禁止モードが設定される。
【００５５】
図７は、図６のフローチャートにおけるステップＳ０３の書き込み可能量Ｗの取得処理の詳細を示すフローチャートである。
【００５６】
ステップＳ０３１で、電源部１０８の残電力量Ｅを取得し、ステップＳ０３２で切り替えに必要な残頁数（頁切り替え回数）を取得する。図４及び図５の例ではＥ頁とＦ頁の２頁（頁切り替え回数は２）である。
【００５７】
次いでステップＳ０３３で、１頁（１回）当たりの切り替え電力量Ｅｐを取得する。この切り替え電力量Ｅｐは予め決まっており、ＲＯＭ１０３等に記憶されている。
【００５８】
次にステップＳ０３４で、書き込み可能量ＷをＷ＝Ｅ−Ｐ×Ｅｐの式で求めたのち、図６のフローチャートに戻る。
【００５９】
このように、この実施形態では、書き込みを行うと最終頁まで表示する電力量が不足する場合は、書き込みを禁止することで、最終頁まで表示させることができる。また、最終頁まで表示させるのに必要な電力量を確保しながら、書き込みを最大限行うことが可能となる。
【００６０】
なお、書き込み禁止モードを設定する前に、図８に示すように、書き込みを禁止するメッセージを表示部１１に表示してユーザーに通知すると共に、ＹＥＳボタン１１ａとＮＯボタン１１ｂとを表示して、書き込みを禁止するか否かをユーザーに選択させる構成としても良い。これにより、書き込みを禁止するかどうかについてのユーザーの意思を尊重することができる。
【００６１】
図９はこの発明の他の実施形態における頁切り替えの順序を説明するための図である。
【００６２】
この実施形態では、現在表示されている頁から直前の頁に頁戻しされた場合、頁送りの際には該直前の頁から最終頁まで順に切り替える設定がなされている場合の動作を示すものである。なお、このような頁切り替えの設定は、予めデフォルトでなされていて、ＲＯＭ１０３等に設定内容が記憶されていても良いし、ユーザーが実行／更新ボタン１３等を操作して設定しても良い。
【００６３】
図９において、現在、表示部１１にＤ頁が表示されているものとし、この状態からユーザーが頁戻しボタン１２を操作してＣ頁へと頁戻しされると、Ｃ頁が表示されることになる。この時点からさらにＢ頁への頁戻しが指示された場合を考える。
【００６４】
Ｂ頁へ戻された後、頁送りがされると、図９の丸数字１〜４のように、Ｂ頁から最終Ｆ頁まで順に各頁が切り替え表示される設定であるから、Ｃ頁が表示された状態でＢ頁へと頁戻しが指示された時の今後の切り替え頁数（頁切り替え回数）は、Ｃ頁から後の残りの頁数Ｄ〜Ｆ頁までの３頁に、Ｂ頁に戻ってＣ頁へと切り替えられる分の２頁を加算して、５頁となる。
【００６５】
つまり、この５頁分の頁切り替えに必要な電力量が、頁戻しの指示されたタイミングで、電源部１０８の残電力量と比較されることになる。
【００６６】
図１０は図９に示した実施形態における電子ぺーバー１の動作を示すフローチャートである。
【００６７】
ステップＳ１１で、ＣＰＵ１０１はユーザーの頁戻しボタン１４の操作による頁戻りを検知すると、ステップＳ１２で、電源部１０８の残電力量Ｅを取得し、ステップＳ１３で切り替えに必要な残頁数（頁切り替え回数）Ｐを取得する。
【００６８】
次いでステップＳ１４で、１頁（１回）当たりの切り替え電力量Ｅｐを取得したのち、ステップＳ１５で、１頁戻った場合に最終頁までの切り替えが不可能かどうかを、Ｅ＜Ｅｐ×（Ｐ＋２）の式で求める。
【００６９】
そして、Ｅ＜Ｅｐ×（Ｐ＋２）であれば（ステップＳ１５でＹＥＳ）、電源部１０８の残電力量に余裕がないから、ステップＳ１６で頁戻りを禁止する。Ｅ＜Ｅｐ×（Ｐ＋２）でなければ（ステップＳ１５でＮＯ）、電源部１０８の残電力量に余裕があるから、ステップＳ１７で頁を直前の頁に切り替える。
【００７０】
この処理を頁戻しボタン１４が操作される毎に実行して、その都度、最終頁までの頁切り替え表示を確保できるかどうかを判断する。
【００７１】
このように、この実施形態では、頁の切り替えにより表示部１１に表示される頁が直前の頁に戻されたときは、頁送りの際には該直前の頁から最終頁まで順に切り替える設定がなされている場合において、この設定を実行すると最終頁まで表示する電力量が不足する場合は、頁を前記直前の頁に戻す処理を禁止することで電力消費を抑制することができ、最終頁までを確実に表示させることができる。
【００７２】
なお、頁戻しを禁止する前に、図１１に示すように、頁戻しを禁止するメッセージを表示部１１に表示してユーザーに通知すると共に、ＹＥＳボタン１１ａとＮＯボタン１１ｂとを表示して、頁戻しを禁止するか否かをユーザーに選択させる構成としても良い。これにより、頁戻しを禁止するかどうかについてのユーザーの意思を尊重することができる。
【００７３】
図１２は、この発明のさらに他の実施形態における頁切り替えの順序を説明するための図である。
【００７４】
この実施形態では、現在表示されている頁から直前の頁に頁戻しされた場合、頁送りの際には該直前の頁から表示部１１に表示済みの頁のうち最も先の頁に一度の頁送り操作により切り替え、最も先の頁からは最終頁まで順に切り替える設定がなされている場合の動作を示すものである。なお、このような頁切り替えの設定は、予めデフォルトでなされていて、ＲＯＭ１０３等に設定内容が記憶されていても良いし、ユーザーが実行／更新ボタン１３等を操作して設定しても良い。
【００７５】
図１２において、Ａ頁からＤ頁まで表示済みであるとすると、表示済みの最も先の頁はＤ頁となる。最も先の頁には例えばタグを付与することにより、ＣＰＵ１０１が最も先の頁であることを認識できるようにしてある。
【００７６】
現在、表示部１１にＤ頁が表示されているものとし、この状態からユーザーが頁戻しボタン１２を操作してＣ頁へと頁戻しされると、Ｃ頁が表示されることになる。この時点からさらにＢ頁への頁戻しが指示された場合を考える。
【００７７】
Ｂ頁へ戻された後、ユーザーにより頁送りがされると、図１２の丸数字１〜３のように、Ｂ頁から最も先の頁であるＤ頁にまず切り替えられ、その後は最終Ｆ頁まで順に各頁が切り替え表示される設定であるから、Ｃ頁が表示されＢ頁へと頁戻しが指示された時の今後の切り替え頁数（頁切り替え回数）は、Ｄ頁から後の残りのＥ頁とＦ頁の２頁に、Ｂ頁に戻ってＤ頁へと切り替えられる分の２頁を加算して、４頁となる。
【００７８】
つまり、この４頁分の頁切り替えに必要な電力量が、頁戻しが指示されたタイミングで電源部１０８の残電力量と比較されることになる。
【００７９】
図１３は図１２に示した実施形態における電子ぺーバー１の動作を示すフローチャートである。
【００８０】
ステップＳ２１で、ＣＰＵ１０１はユーザーの頁戻しボタン１４の操作による頁戻りを検知すると、ステップＳ２２で、表示済みの頁の中で現在表示されている頁は最も進んだ頁、つまり最も先の頁であるかどうかを判断する。最も先の頁でなければ（ステップＳ２２でＮＯ）、ステップＳ２５に進む。
【００８１】
最も先の頁であれば（ステップＳ２２でＹＥＳ）、ステップＳ２３で、最も先の頁の頁番号Ｐｎｅｗを取得したのち、ステップＳ２４で電源部１０８の残電力量Ｅを取得し、ステップＳ２５に進む。
【００８２】
ステップＳ２５では全頁数Ｐａｌｌを取得し、次いでステップＳ２６で、１頁（１回）当たりの切り替え電力量Ｅｐを取得したのち、ステップＳ２７で、１頁戻った場合に最終頁までの切り替えが不可能かどうかを、Ｅ＜Ｅｐ×（Ｐａｌｌ−Ｐｎｅｗ＋２）の式で求める。なお、この式における（Ｐａｌｌ−Ｐｎｅｗ＋２）は必要な切り替え回数を表している。
【００８３】
そして、Ｅ＜Ｅｐ×（Ｐａｌｌ−Ｐｎｅｗ＋２）であれば（ステップＳ２７でＹＥＳ）、電源部１０８の残電力量に余裕がないから、ステップＳ２８で頁戻りを禁止する。Ｅ＜Ｅｐ×（Ｐａｌｌ−Ｐｎｅｗ＋２）でなければ（ステップＳ２７でＮＯ）、電源部１０８の残電力量に余裕があるから、ステップＳ２９で頁を直前の頁に切り替える。
【００８４】
この処理を頁戻しボタン１４が操作される毎に実行して、その都度、最終頁までの頁切り替え表示を確保できるかどうかを判断する。
【００８５】
このように、この実施形態では、頁の切り替えにより表示部１１に表示される頁が直前の頁に戻されたときは、頁送りの際には該直前の頁から表示部１１に表示済みの頁のうち最も先の頁に一度の切り替え操作により切り替え、最も先の頁からは最終頁まで順に切り替える設定がなされている場合において、この設定を実行すると最終頁まで表示する電力量が不足する場合は、頁を前記直前の頁に戻す処理を禁止することで電力消費を抑制することができ、最終頁までを確実に表示させることができる。
【００８６】
なお、頁戻しを禁止する前に、図１１と同様に、頁戻しを禁止するメッセージを表示部１１に表示してユーザーに通知すると共に、ＹＥＳボタン１１ａとＮＯボタン１１ｂとを表示して、頁戻しを禁止するか否かをユーザーに選択させる構成としても良い。これにより、頁戻しを禁止するかどうかについてのユーザーの意思を尊重することができる。
【００８７】
図１４は、図１２及び図１３で説明した頁切り替えの設定がなされている場合に、表示部１１に表示された頁について、手書き入力装置２によりメモ書きする場合の書き込み可能量を取得する処理を示すフローチャートである。
【００８８】
ステップＳ３１で、電源部１０８の残電力量Ｅを取得し、ステップＳ３２で全頁数Ｐａｌｌを取得する。次いで、ステップＳ３３で最先の頁の頁番号Ｐｎｅｗを取得し、ステップＳ３４で、１頁（１回）当たりの切り替え電力量Ｅｐを取得する。
【００８９】
そして、ステップＳ３５で、書き込み可能量ＷをＷ＝Ｅ−（Ｐａｌｌ−Ｐｎｅｗ＋１）×Ｅｐの式で求めたのち、図６のフローチャートに戻る。なお、図６のフローチャートに示す書き込み可能かどうかの処理は、この実施形態では常時行われている。
【００９０】
図１５は、この発明のさらに他の実施形態を示すフローチャートである。
【００９１】
この実施形態では、ユーザーが画像拡大ボタン１５、画像縮小ボタン１６あるいは画像回転ボタン１７を操作することにより、表示部１１に表示された文字などの画像の変倍や回転といった画像処理が指示されたときに、変倍や回転を行っても最終頁まで切り替え表示できる残電力量が電源部１０８にあるかどうかを判断し、ある場合に変倍や回転を許可するものである。
【００９２】
ステップＳ４１で、変倍・回転の指示を検知すると、ステップＳ４２で、電源部１０８の残電力量Ｅを取得し、ステップＳ４３で切り替えに必要な残頁数（頁切り替え回数）を取得する。
【００９３】
次いでステップＳ４４で、１頁（１回）当たりの切り替え電力量Ｅｐを取得したのち、ステップＳ４５で、変倍・回転した場合に最終頁までの切り替えが不可能かどうかを、Ｅ＜Ｅｐ×（Ｐ＋１）の式で求める。この実施形態では、画像を変倍あるいは回転させるのに１頁の切り替え分と同じ電力量が必要であるとして、必要な電力量をＥｐ×（Ｐ＋１）に設定している。
【００９４】
そして、Ｅ＜Ｅｐ×（Ｐ＋１）であれば（ステップＳ４５でＹＥＳ）、電源部１０８の残電力量に余裕がないから、ステップＳ４６で変倍あるいは回転を禁止する。Ｅ＜Ｅｐ×（Ｐ＋１）でなければ（ステップＳ４５でＮＯ）、電源部１０８の残電力量に余裕があるから、ステップＳ４７で、ユーザーの指示に基づいて画像を変倍または回転させる。
【００９５】
このように、表示された画像の拡大、縮小、回転の少なくともいずれかの画像処理を実行すると電力量が不足する場合には、前記画像処理を禁止することで電力消費を抑制することができ、最終頁までを確実に表示させることができる。
【００９６】
図１６は、この発明のさらに他の実施形態における頁切り替えの順序を説明するための図である。
【００９７】
この実施形態では、最終頁まで切り替え表示したときは、タグが付与された頁に戻って表示させる設定がなされている場合の動作を示すものである。なお、このような頁切り替えの設定は、予めデフォルトでなされていて、ＲＯＭ１０３等に設定内容が記憶されていても良いし、ユーザーが実行／更新ボタン１３等を操作して設定しても良い。
【００９８】
図１６において、Ｃ頁にタグが付与されているとすると、最終Ｆ頁まで表示したときは次の頁送り操作によりＣ頁が表示部１１に表示される。Ｃ頁にタグが付与されていないときに、Ａ頁から順にＢ頁、Ｃ頁と表示部１１に切り替え表示され、現在Ｃ頁が表示されているものとする。この段階では、Ｃ頁にはまだタグが付与されていない。
【００９９】
ユーザーによりＣ頁にタグが付与されると、頁送りにより最終Ｆ頁が表示された後でこのＣ頁が再度表示部１１に表示されることになる。つまり、タグが付与されたときの今後の切り替え頁数（頁切り替え回数）は、Ｃ頁から後の残りのＤ頁とＥ頁とＦ頁の３頁に、タグの付与されたＣ頁に戻って切り替えられる分の１頁を加算して、４頁となる。
【０１００】
つまり、この４頁分の頁切り替えに必要な電力量が、電源部１０８の残電力量と比較されることになる。なお、既にタグが付与されている頁があれば、その頁への切り替え分も加算する。
【０１０１】
図１７は、図１６に示した実施形態における電子ぺーバー１の動作を示すフローチャートである。
【０１０２】
ステップＳ５１で、ＣＰＵ１０１はユーザーの例えば実行／更新ボタン１３の操作によるタグ付け指示を検知すると、ステップＳ５２で電源部１０８の残電力量Ｅを取得し、ステップＳ５３で最終頁までの切り替えに必要な残頁数（頁切り替え回数）Ｐを取得する。
【０１０３】
次いでステップＳ５４で、既にタグが付与されている頁の頁数Ｐｔａｇを取得した後、轍鮒Ｓ５５で、１頁（１回）当たりの切り替え電力量Ｅｐを取得する。
【０１０４】
次に、ステップＳ５６で、現在表示されている頁にタグを付与した場合に最終頁までの切り替えとタグを付与した頁への切り替えが不可能かどうかを、Ｅ＜Ｅｐ×（Ｐ＋Ｐｔａｇ＋１）の式で求める。
【０１０５】
そして、Ｅ＜Ｅｐ×（Ｐ＋Ｐｔａｇ＋１）であれば（ステップＳ５６でＹＥＳ）、電源部１０８の残電力量に余裕がないから、ステップＳ５７でタグ付けを禁止する。Ｅ＜Ｅｐ×（Ｐ＋Ｐｔａｇ＋１）でなければ（ステップＳ５６でＮＯ）、電源部１０８の残電力量に余裕があるから、ステップＳ５８でタグ付けを許可する。
【０１０６】
この処理をタグの付与操作を検知する毎に実行して、その都度、最終頁までとその後のタグ付き頁の頁切り替え表示を確保できるかどうかを判断する。
【０１０７】
このように、この実施形態では、最終頁まで頁切り替え完了後に、タグを付与された頁に切り替える設定がなされている場合において、タグを付与すると最終頁までとさらにタグを付与された頁を表示する電力量が不足する場合は、タグの付与を禁止することで電力消費を抑制することができ、最終頁までを確実に表示させることができる。
【０１０８】
なお、タグ付けを禁止する前に、図１１に示すように、タグ付けを禁止するメッセージを表示部１１に表示してユーザーに通知すると共に、ＹＥＳボタン１１ａとＮＯボタン１１ｂとを表示して、タグ付けを禁止するか否かをユーザーに選択させる構成としても良い。これにより、タグ付けを禁止するかどうかについてのユーザーの意思を尊重することができる。
【０１０９】
図１８は、図１６及び図１７で説明した、最終頁後にタグが付与された頁に切り替えられる設定がなされている場合に、表示部１１に表示された頁について、手書き入力装置２によりメモ書きする場合の書き込み可能量を取得する処理を示すフローチャートである。
【０１１０】
ステップＳ６１で、電源部１０８の残電力量Ｅを取得し、ステップＳ６２で残頁数Ｐを取得する。次いで、ステップＳ６３でタグが付与された頁数Ｐｔａｇを取得し、ステップＳ６４で、１頁（１回）当たりの切り替え電力量Ｅｐを取得する。
【０１１１】
そして、ステップＳ６５で、書き込み可能量ＷをＷ＝Ｅ−（Ｐ＋Ｐｔａｇ）×Ｅｐの式で求めたのち、図６のフローチャートに戻る。なお、図６のフローチャートに示す書き込み可能かどうかの処理は、この実施形態では常時行われている。
【０１１２】
図１９は、この発明のさらに他の実施形態を示すものである。
【０１１３】
この実施形態では、最終頁まで切り替え表示したときは、手書き入力装置２によりメモ書きが書き込まれた頁に戻って表示させる設定がなされている場合の動作を示すものである。なお、このような頁切り替えの設定は、予めデフォルトでなされていて、ＲＯＭ１０３等に設定内容が記憶されていても良いし、ユーザーが実行／更新ボタン１３等を操作して設定しても良い。
【０１１４】
図１９において、Ｂ頁にメモ書きが書き込まれているとすると、最終Ｆ頁まで表示したときは次の頁送り操作により、図１９の丸数字３に示すように、Ｂ頁が表示部１１に表示される。
【０１１５】
Ｂ頁にタグが付与されていないときに、Ａ頁の次にＢ頁が表示部１１に切り替え表示される。ユーザーによりＢ頁にメモ書きが書き込まれると、頁送りにより最終Ｆ頁が表示された後でこのＢ頁が再度表示部１１に表示されることになる。つまり、メモ書きが書き込まれたときの今後の切り替え頁数（頁切り替え回数）は、Ｂ頁から後の残りのＣ頁〜Ｆ頁の４頁に、メモ書きされたＢ頁に戻って切り替えられる分の１頁を加算して、５頁となる。
【０１１６】
つまり、この５頁分の頁切り替えに必要な電力量が、電源部１０８の残電力量と比較されることになる。なお、既にメモ書きが書き込まれている頁があれば、その頁への切り替え分も加算する。
【０１１７】
図２０は図１９に示した実施形態における電子ぺーバー１の動作を示すフローチャートである。
【０１１８】
ステップＳ７１で、ＣＰＵ１０１はユーザーの手書き入力装置２の操作によりメモの書き込みを検知すると、ステップＳ７２で電源部１０８の残電力量Ｅを取得し、ステップＳ７３で最終頁までの切り替えに必要な残頁数（頁切り替え回数）Ｐを取得する。
【０１１９】
次いでステップＳ７４で、既にメモが書き込まれている頁の頁数Ｐｍｅｍｏを取得した後、轍鮒Ｓ７５で、１頁（１回）当たりの切り替え電力量Ｅｐを取得する。
【０１２０】
次に、ステップＳ７６で、現在表示されている頁にメモ書きした場合に最終頁までの切り替えとメモ書きされた頁への切り替えが不可能かどうかを、Ｅ＜Ｅｐ×（Ｐ＋Ｐｍｅｍｏ＋１）の式で求める。
【０１２１】
そして、Ｅ＜Ｅｐ×（Ｐ＋Ｐｍｅｍｏ＋１）であれば（ステップＳ７６でＹＥＳ）、電源部１０８の残電力量に余裕がないから、ステップＳ７７でメモ書きを禁止する。Ｅ＜Ｅｐ×（Ｐ＋Ｐｍｅｍｏ＋１）でなければ（ステップＳ７６でＮＯ）、電源部１０８の残電力量に余裕があるから、ステップＳ７８でメモ書きを許可する。
【０１２２】
この処理をメモ書きを検知する毎に実行して、その都度、最終頁までとその後のメモ書きされた頁の頁切り替え表示を確保できるかどうかを判断する。
【０１２３】
このように、この実施形態では、最終頁まで頁切り替え完了後に、メモ書きされた頁に切り替える設定がなされている場合において、メモ書きすると最終頁までとさらにメモ書きされた頁を表示する電力量が不足する場合は、メモ書きを禁止することで電力消費を抑制することができ、最終頁までを確実に表示させることができる。
【０１２４】
なお、メモ書きを禁止する前に、図１１に示すように、メモ書きを禁止するメッセージを表示部１１に表示してユーザーに通知すると共に、ＹＥＳボタン１１ａとＮＯボタン１１ｂとを表示して、メモ書きを禁止するか否かをユーザーに選択させる構成としても良い。これにより、メモ書きを禁止するかどうかについてのユーザーの意思を尊重することができる。
【０１２５】
図２１は、最終頁後にメモ書きされた頁に切り替えられる設定の場合に、表示部１１に表示された頁について、手書き入力装置２によりメモ書きする場合の書き込み可能量を取得する処理を示すフローチャートである。
【０１２６】
ステップＳ８１で、電源部１０８の残電力量Ｅを取得し、ステップＳ８２で残頁数Ｐを取得する。次いで、ステップＳ８３でメモ書きされた頁数Ｐｍｅｍｏを取得し、ステップＳ８４で、１頁（１回）当たりの切り替え電力量Ｅｐを取得する。
【０１２７】
そして、ステップＳ８５で、書き込み可能量ＷをＷ＝Ｅ−（Ｐ＋Ｐｍｅｍｏ）×Ｅｐの式で求めたのち、図６のフローチャートに戻る。なお、図６のフローチャートに示す書き込み可能かどうかの処理は、この実施形態では常時行われている。
【符号の説明】
【０１２８】
１        電子ペーパー（表示装置）
２        手書き入力装置
１１      表示部
１０１    ＣＰＵ
１０２    ＲＡＭ
１０３    ＲＯＭ
１０５    外部記憶装置
１０６    操作部
１０７    電源管理部
１０８    電源部
【図１】
2014219946.tif 000003
【図２】
2014219946.tif 000004
【図３】
2014219946.tif 000005
【図４】
2014219946.tif 000006
【図５】
2014219946.tif 000007
【図６】
2014219946.tif 000008
【図７】
2014219946.tif 000009
【図８】
2014219946.tif 000010
【図９】
2014219946.tif 000011
【図１０】
2014219946.tif 000012
【図１１】
2014219946.tif 000013
【図１２】
2014219946.tif 000014
【図１３】
2014219946.tif 000015
【図１４】
2014219946.tif 000016
【図１５】
2014219946.tif 000017
【図１６】
2014219946.tif 000018
【図１７】
2014219946.tif 000019
【図１８】
2014219946.tif 000020
【図１９】
2014219946.tif 000021
【図２０】
2014219946.tif 000022
【図２１】
2014219946.tif 000023